(57)【要約】【課題】省電力化できる情報処理方法、情報処理システム、および情報処理装置を提供する。【解決手段】端末装置２には、ＩＦ２４と、電源のオンオフを制御する電源制御部２７と、ＩＦ２４に起動時間データＤＣＴおよび設定されたコンテンツデータをサーバ装置３に送信させる設定情報ＤＳＴを送信させて電源制御部２７に電源をオフ状態に制御させ、ＩＦ２４でサーバ装置３からの起動信号およびコンテンツデータＤＣを受信すると電源制御部２７に電源をオン状態に制御させ、コンテンツデータを再生させるＣＰＵ２８とを設け、サーバ装置３には、ＩＦ３４と、電源のオンオフを制御する電源制御部３７と、ＩＦ３４で受信した起動時間設定データＤＳＴを基に起動時間を設定して電源制御部３７に電源をオフ状態に制御させ、起動時間になると電源をオン状態に制御させてＩＦ３４に起動信号およびコンテンツデータＤＣを送信させるＣＰＵ３８とを設ける。【選択図】図２
2005157799.tif 000002
【特許請求の範囲】
【請求項１】
第１の情報処理装置が、起動時間情報を第２の情報処理装置に送信して当該第１の情報処理装置の電源をオフ状態に制御する第１のステップと、
前記第２の情報処理装置が、前記第１のステップで送信された前記起動時間情報を基に起動時間を設定して当該第２の情報処理装置の電源をオフ状態に制御する第２のステップと、
前記第２の情報処理装置が、前記第２のステップで設定した起動時間になると当該第２の情報処理装置の電源をオン状態に制御する第３のステップと、
前記第２の情報処理装置が、前記第３のステップにより前記オン状態に制御した後、起動信号を前記第１の情報処理装置に送信する第４のステップと、
前記第１の情報処理装置が、前記第４のステップで送信された前記起動信号を基に当該第１の情報処理装置の電源をオン状態に制御する第５のステップとを有する
情報処理方法。
【請求項２】
前記第１のステップにおいて、前記第１の情報処理装置が、前記起動時間情報および設定されたコンテンツデータを送信させる設定情報を前記第２の情報処理装置に送信して当該第１の情報処理装置の電源をオフ状態に制御し、
前記第４のステップにおいて、前記第２の情報処理装置が、前記第３のステップにより前記オン状態に制御した後、起動信号および前記設定情報に応じたコンテンツデータを前記第１の情報処理装置に送信し、
前記第５のステップにおいて、前記第１の情報処理装置が、前記第４のステップで送信された前記起動信号を基に当該第１の情報処理装置の電源をオン状態に制御して前記コンテンツデータを再生する
請求項１に記載の情報処理方法。
【請求項３】
第１の情報処理装置が、入力された起動時間情報を基に起動時間を設定して第２の情報処理装置に電源制御信号を送信して当該第１の情報処理装置の電源をオフ状態に制御する第１のステップと、
前記第２の情報処理装置が、前記第１のステップで送信された電源制御信号を受信すると当該第２の情報処理装置の電源をオフ状態に制御する第２のステップと、
前記第１の情報処理装置が、前記第１のステップで設定した起動時間になると当該第１の情報処理装置の電源をオン状態に制御する第３のステップと、
前記第１の情報処理装置が、前記第３のステップにより電源をオン状態に制御した後、起動信号を前記第２の情報処理装置に送信する第４のステップと
前記第２の情報処理装置が、前記第３のステップにより送信された起動信号を基に当該第２の情報処理装置の電源をオン状態に制御するに第５のステップと
を有する情報処理方法。
【請求項４】
前記第１のステップにおいて、前記第１の情報処理装置が、設定されたコンテンツデータを送信させる設定情報、および、入力された起動時間情報を基に起動時間を設定し、前記第２の情報処理装置に電源制御信号を送信して当該第１の情報処理装置の電源をオフ状態に制御し、
前記第４のステップにおいて、前記第１の情報処理装置が、前記第３のステップにより前記電源をオン状態に制御した後、起動信号、および前記設定情報を前記第２の情報処理装置に送信し、
前記第５のステップにおいて、前記第３のステップにより送信された起動信号を基に当該第２の情報処理装置の電源をオン状態に制御して前記設定情報を基に前記コンテンツデータを前記第１の情報処理装置に送信し、前記第１の情報処理装置は、前記コンテンツデータを再生する
請求項３に記載の情報処理方法。
【請求項５】
第１の情報処理装置は、第２の情報処理装置と通信を行う第１の通信手段と、
当該第１の情報処理装置の電源のオン状態およびオフ状態を制御する第１の電源制御手段と、
前記第１の通信手段に起動時間情報を送信させて前記第１の電源制御手段に電源をオフ状態に制御させ、前記第１の通信手段で起動信号を受信すると前記第１の電源制御手段に電源をオン状態に制御させる第１の制御手段とを含み、
前記第２の情報処理装置は、前記第１の情報処理装置と通信を行う第２の通信手段と、
当該第２の情報処理装置の電源のオン状態およびオフ状態を制御する第２の電源制御手段と、
前記第２の通信手段で受信した起動時間情報を基に起動時間を設定して前記第２の電源制御手段に電源をオフ状態に制御させ、前記設定した起動時間になると前記第２の電源制御手段に電源をオン状態に制御させて前記第２の通信手段に前記起動信号を前記第１の情報処理装置に送信させる第２の制御手段とを含む
情報処理システム。
【請求項６】
前記第１の制御手段は、前記起動時間情報および設定されたコンテンツデータを送信させる設定情報を前記第１の通信手段に送信させて前記第１の電源制御手段に電源をオフ状態に制御させ、前記第１の通信手段で受信された前記起動信号を基に当該第１の情報処理装置の電源をオン状態に制御して前記コンテンツデータを再生させ、
前記第２の制御手段は、前記オン状態に制御した後、起動信号および前記設定情報に応じたコンテンツデータを前記第１の通信手段に送信させる
請求項５に記載の情報処理システム。
【請求項７】
第１の情報処理装置は、第２の情報処理装置と通信を行う第１の通信手段と、
当該第１の情報処理装置の電源のオン状態およびオフ状態を制御する第１の電源制御手段と、
入力された起動時間情報を基に起動時間を設定して前記第１の通信手段に電源制御信号を送信して前記第１の電源制御手段に電源をオフ状態に制御させ、前記設定した起動時間になると前記第１の電源制御手段に電源をオン状態に制御させて前記第１の通信手段に起動信号を送信させる第１の制御手段とを含み、
前記第２の情報処理装置は、前記第１の情報処理装置と通信を行う第２の通信手段と、
当該第２の情報処理装置の電源のオン状態およびオフ状態を制御する第２の電源制御手段と、
前記第２の通信手段で電源制御信号を受信すると前記第２の電源制御手段に電源をオフ状態に制御させ、前記通信手段で起動信号を受信すると前記第２の電源制御手段に電源をオン状態に制御させる第２の制御手段とを含む
情報処理システム。
【請求項８】
前記第１の制御手段は、設定されたコンテンツデータを送信させる設定情報、および、入力された起動時間情報を基に起動時間を設定し、前記第１の通信手段に電源制御信号を送信させて前記第１の電源制御手段に電源をオフ状態に制御させ、前記電源をオン状態に制御した後、起動信号、および前記設定情報を前記第１の通信手段に送信させ、前記通信手段で受信された前記コンテンツデータを再生させ、
前記第２の制御手段は、前記起動信号を基に前記第２の電源制御手段に電源をオン状態に制御させて、前記第２の通信手段に前記設定情報を基に前記コンテンツデータを送信させる
請求項７に記載の情報処理システム。
【請求項９】
他の情報処理装置と通信を行う通信手段と、
当該情報処理装置の電源のオン状態およびオフ状態を制御する電源制御手段と、
前記通信手段に起動時間情報および設定されたコンテンツデータを前記他の情報処理装置に送信させる設定情報を送信させて前記電源制御手段に電源をオフ状態に制御させ、前記通信手段で前記他の情報処理装置からの起動信号および前記コンテンツデータを受信すると前記電源制御手段に電源をオン状態に制御させ前記コンテンツデータを再生させる制御手段と
を有する情報処理装置。
【請求項１０】
他の情報処理装置と通信を行う通信手段と、
当該情報処理装置の電源のオン状態およびオフ状態を制御する電源制御手段と、
前記通信手段で受信した起動時間情報を基に起動時間を設定して前記電源制御手段に電源をオフ状態に制御させ、前記設定した起動時間になると前記電源制御手段に電源をオン状態に制御させて前記通信手段に起動信号および設定情報に応じたコンテンツデータを前記他の情報処理装置に送信させる制御手段と
を有する情報処理装置。
【請求項１１】
他の情報処理装置と通信を行う通信手段と、
当該情報処理装置の電源のオン状態およびオフ状態を制御する電源制御手段と、
設定されたコンテンツデータを送信させる設定情報、および入力された起動時間情報を基に起動時間を設定して前記通信手段に電源制御信号を送信させて前記電源制御手段に電源をオフ状態に制御させ、前記設定した起動時間になると前記電源制御手段に電源をオン状態に制御させて前記通信手段に起動信号および前記設定情報を送信させ、前記通信手段で前記コンテンツデータを受信すると当該コンテンツデータを再生させる制御手段と
を有する情報処理装置。
【請求項１２】
他の情報処理装置と通信を行う通信手段と、
当該情報処理装置の電源のオン状態およびオフ状態を制御する電源制御手段と、
前記通信手段で電源制御信号を受信すると前記電源制御手段に電源をオフ状態に制御させ、前記通信手段で起動信号を受信すると前記電源制御手段に電源をオン状態に制御させて、前記通信手段に前記設定情報を基に前記コンテンツデータを送信させる制御手段と
を有する情報処理装置。
【発明の詳細な説明】
【技術分野】
【０００１】
本発明は、例えば、通信ネットワークを介して電源の制御を行う情報処理方法、情報処理システム、および情報処理装置に関するものである。
【背景技術】
【０００２】
テレビジョン受像機、録画装置、電子レンジ、冷蔵庫等の電気機器等をホームネットワークを介して接続し、電気機器の電源オフを制御する電源制御システムが知られている（例えば、特許文献１参照）。
【特許文献１】特開２００２−２１８５６２号公報
【発明の開示】
【発明が解決しようとする課題】
【０００３】
上述した特許文献１で開示されている電源制御システムにおいて、例えば電気製品は、ネットワークを介して電源のオフを指示する電源オフ情報が入力されると電源をオフに制御する電源制御手段が設けられている。
しかし、制御対象の電気製品の制御を行う電気製品の電源は、オン状態である必要があり、より省電力化が望まれている。
【０００４】
本発明の目的は、電源制御を行う情報処理装置において、より省電力化できる情報処理方法、情報処理システム、および情報処理装置を提供することにある。
【課題を解決するための手段】
【０００５】
前記目的を達成するために、本発明の第１の観点の情報処理方法は、第１の情報処理装置が、起動時間情報を第２の情報処理装置に送信して当該第１の情報処理装置の電源をオフ状態に制御する第１のステップと、前記第２の情報処理装置が、前記第１のステップで送信された前記起動時間情報を基に起動時間を設定して当該第２の情報処理装置の電源をオフ状態に制御する第２のステップと、前記第２の情報処理装置が、前記第２のステップで設定した起動時間になると当該第２の情報処理装置の電源をオン状態に制御する第３のステップと、前記第２の情報処理装置が、前記第３のステップにより前記オン状態に制御した後、起動信号を前記第１の情報処理装置に送信する第４のステップと、前記第１の情報処理装置が、前記第４のステップで送信された前記起動信号を基に当該第１の情報処理装置の電源をオン状態に制御する第５のステップとを有する。
【０００６】
本発明の第１の観点の情報処理方法によれば、第１のステップにおいて、第１の情報処理装置が、起動時間情報を第２の情報処理装置に送信して当該第１の情報処理装置の電源をオフ状態に制御する。
第２のステップにおいて、第２の情報処理装置が、第１のステップで送信された起動時間情報を基に起動時間を設定して当該第２の情報処理装置の電源をオフ状態に制御する。
第３のステップで、第２の情報処理装置が、第２のステップで設定した起動時間になると当該第２の情報処理装置の電源をオン状態に制御する。
第４のステップで、第２の情報処理装置が、第３のステップによりオン状態に制御した後、起動信号を第１の情報処理装置に送信する。
第５のステップで、第１の情報処理装置が、第４のステップで送信された起動信号を基に当該第１の情報処理装置の電源をオン状態に制御する。
【０００７】
さらに、前記目的を達成するために、本発明の第２の観点の情報処理方法は、第１の情報処理装置が、入力された起動時間情報を基に起動時間を設定して第２の情報処理装置に電源制御信号を送信して当該第１の情報処理装置の電源をオフ状態に制御する第１のステップと、前記第２の情報処理装置が、前記第１のステップで送信された電源制御信号を受信すると当該第２の情報処理装置の電源をオフ状態に制御する第２のステップと、前記第１の情報処理装置が、前記第１のステップで設定した起動時間になると当該第１の情報処理装置の電源をオン状態に制御する第３のステップと、前記第１の情報処理装置が、前記第３のステップにより電源をオン状態に制御した後、起動信号を前記第２の情報処理装置に送信する第４のステップと、前記第２の情報処理装置が、前記第３のステップにより送信された起動信号を基に当該第２の情報処理装置の電源をオン状態に制御するに第５のステップとを有する。
【０００８】
さらに、前記目的を達成するために、本発明の第３の観点の情報処理システムは、第１の情報処理装置は、第２の情報処理装置と通信を行う第１の通信手段と、当該第１の情報処理装置の電源のオン状態およびオフ状態を制御する第１の電源制御手段と、前記第１の通信手段に起動時間情報を送信させて前記第１の電源制御手段に電源をオフ状態に制御させ、前記第１の通信手段で起動信号を受信すると前記第１の電源制御手段に電源をオン状態に制御させる第１の制御手段とを含み、前記第２の情報処理装置は、前記第１の情報処理装置と通信を行う第２の通信手段と、当該第２の情報処理装置の電源のオン状態およびオフ状態を制御する第２の電源制御手段と、前記第２の通信手段で受信した起動時間情報を基に起動時間を設定して前記第２の電源制御手段に電源をオフ状態に制御させ、前記設定した起動時間になると前記第２の電源制御手段に電源をオン状態に制御させて前記第２の通信手段に前記起動信号を前記第１の情報処理装置に送信させる第２の制御手段とを含む。
【０００９】
さらに、前記目的を達成するために、本発明の第４の観点の情報処理システムは、第１の情報処理装置は、第２の情報処理装置と通信を行う第１の通信手段と、当該第１の情報処理装置の電源のオン状態およびオフ状態を制御する第１の電源制御手段と、入力された起動時間情報を基に起動時間を設定して前記第１の通信手段に電源制御信号を送信して前記第１の電源制御手段に電源をオフ状態に制御させ、前記設定した起動時間になると前記第１の電源制御手段に電源をオン状態に制御させて前記第１の通信手段に起動信号を送信させる第１の制御手段とを含み、前記第２の情報処理装置は、前記第１の情報処理装置と通信を行う第２の通信手段と、当該第２の情報処理装置の電源のオン状態およびオフ状態を制御する第２の電源制御手段と、前記第２の通信手段で電源制御信号を受信すると前記第２の電源制御手段に電源をオフ状態に制御させ、前記通信手段で起動信号を受信すると前記第２の電源制御手段に電源をオン状態に制御させる第２の制御手段とを含む。
【００１０】
さらに、前記目的を達成するために、本発明の第５の観点の情報処理装置は、他の情報処理装置と通信を行う通信手段と、当該情報処理装置の電源のオン状態およびオフ状態を制御する電源制御手段と、前記通信手段に起動時間情報および設定されたコンテンツデータを前記他の情報処理装置に送信させる設定情報を送信させて前記電源制御手段に電源をオフ状態に制御させ、前記通信手段で前記他の情報処理装置からの起動信号および前記コンテンツデータを受信すると前記電源制御手段に電源をオン状態に制御させ前記コンテンツデータを再生させる制御手段とを有する。
【００１１】
さらに、前記目的を達成するために、本発明の第６の観点の情報処理装置は、他の情報処理装置と通信を行う通信手段と、当該情報処理装置の電源のオン状態およびオフ状態を制御する電源制御手段と、前記通信手段で受信した起動時間情報を基に起動時間を設定して前記電源制御手段に電源をオフ状態に制御させ、前記設定した起動時間になると前記電源制御手段に電源をオン状態に制御させて前記通信手段に起動信号および設定情報に応じたコンテンツデータを前記他の情報処理装置に送信させる制御手段とを有する。
【００１２】
さらに、前記目的を達成するために、本発明の第７の観点の情報処理装置は、他の情報処理装置と通信を行う通信手段と、当該情報処理装置の電源のオン状態およびオフ状態を制御する電源制御手段と、設定されたコンテンツデータを送信させる設定情報、および入力された起動時間情報を基に起動時間を設定して前記通信手段に電源制御信号を送信させて前記電源制御手段に電源をオフ状態に制御させ、前記設定した起動時間になると前記電源制御手段に電源をオン状態に制御させて前記通信手段に起動信号および前記設定情報を送信させ、前記通信手段で前記コンテンツデータを受信すると当該コンテンツデータを再生させる制御手段とを有する。
【００１３】
さらに、前記目的を達成するために、本発明の第８の観点の情報処理装置は、他の情報処理装置と通信を行う通信手段と、当該情報処理装置の電源のオン状態およびオフ状態を制御する電源制御手段と、前記通信手段で電源制御信号を受信すると前記電源制御手段に電源をオフ状態に制御させ、前記通信手段で起動信号を受信すると前記電源制御手段に電源をオン状態に制御させて、前記通信手段に前記設定情報を基に前記コンテンツデータを送信させる制御手段とを有する。
【発明の効果】
【００１４】
本発明によれば、電源制御を行う情報処理装置において、より省電力化できる情報処理方法、情報処理システム、および情報処理装置を提供することができる。
【発明を実施するための最良の形態】
【００１５】
図１は、本発明に係る情報処理システムの第１実施形態を示す全体構成図である。
本実施形態に係る情報処理システム１は、例えば図１に示すように、端末装置（情報処理装置）２、およびサーバ装置（情報処理装置）３を有する。
端末装置２は本発明に係る第１の情報処理装置に相当し、サーバ装置３は本発明に係る第２の情報処理装置に相当する。
端末装置（クライアント装置ともいう）２およびサーバ装置３は、通信ネットワーク４を介して接続されている。
通信ネットワーク４は、例えば装置間で、有線方式や無線方式により所定のプロトコルに応じた信号で通信が行われる通信路である。
【００１６】
端末装置２は、例えば、テレビジョン受像装置や、パーソナルコンピュータ等の情報処理装置であり、例えば起動時間や、サーバ装置３が記憶するコンテンツデータを選択する設定データを生成し、必要に応じて電源制御を行う。
【００１７】
サーバ装置３は、例えば、所定のコンテンツデータＤＣを記憶する情報処理装置であり、必要に応じて電源制御を行う。
また、サーバ装置３は、複数のサーバ装置、例えば通信ネットワーク４上に、サーバ装置３−１、サーバ装置３−２、および例えばインターネット等の通信ネットワーク４１を介して接続されたサーバ装置３−３等を有する。
【００１８】
例えばサーバ装置３それぞれは、必要に応じてコンテンツデータＤＣを相互に通信してダウンロードやアップロード等を行うことができる。また、サーバ装置３は、サーバ装置３それぞれが記憶するコンテンツデータの一覧を示すコンテンツ一覧データＤＣＬを記憶してもよい。例えば、コンテンツ一覧データＤＣＬは、端末装置２やサーバ装置３がコンテンツデータＤＣの所在を検索する際に用いられる。
【００１９】
図２は、図１に示した情報処理システムのハードウェア的な機能ブロック図である。
端末装置２は、例えば図２に示すように、計時部２１、入力部２２、出力部２３、インタフェース（ＩＦ）２４、メモリ２５、電源回路２６、電源制御部２７、およびＣＰＵ（Central Processing Unit ）２８を有する。
計時部２１、入力部２２、出力部２３、ＩＦ２４、メモリ２５、電源回路２６、電源制御部２７、およびＣＰＵ２８はバスＢＳにより接続されている。
ＩＦ２４は本発明に係る通信手段に相当し、電源制御部２７は本発明に係る電源制御手段に相当し、ＣＰＵ（制御回路）２８は本発明に係る制御手段に相当する。
【００２０】
計時部２１は、例えば水晶発振器等の発振器による振動信号を基に時刻情報を計時し、計時する時刻情報をＣＰＵ２８に出力する。
【００２１】
入力部２２は、例えばユーザの操作に応じた信号をＣＰＵ２８に出力する。入力部２２は例えばキーボードやマウス、図１に示すリモートコントローラ２＿１等の入力装置である。
出力部２３は、ＣＰＵ２８の制御により、例えばコンテンツデータに応じた画像の表示を行う表示装置や、コンテンツデータに応じた発音を行う発音装置を含む。
【００２２】
ＩＦ２４は、例えばＣＰＵ２８の制御により、通信ネットワーク４を介して他の情報処理装置、例えばサーバ装置３と通信を行う。
メモリ２５は、例えばＣＰＵ２８が本発明に係る機能を実現するためのワークエリアとして使用される。例えばメモリ２５はＲＡＭ（Random Access Memory）やＲＯＭ（Read Only Memory）により構成される。
また、メモリ２５は、設定データＤＳやプログラムＰＲＧを記憶する。
設定データＤＳは、例えばサーバ装置３の起動時間を設定する起動時間設定データＤＳＴや、所定のコンテンツデータを送信させるコンテンツ設定データＤＳＣを含む。
プログラムＰＲＧは、例えばＣＰＵ２８により実行されて、本発明に係る機能を実現する。
【００２３】
電源回路２６は、例えば装置全体の電源を供給する回路であり、電源制御部２７の制御により各構成要素に所定の電力を供給する。
電源制御部２７は、例えばＣＰＵ２８の制御により電源回路２６を制御する。
ＣＰＵ２８は、装置全体の制御を行い、例えばプログラムＰＲＧを実行することで本発明に係る機能を実現する。
【００２４】
図３は、本発明に係る情報処理装置の電源制御に係る処理を説明するための図である。
情報処理装置２の電源制御に係る処理は、例えば図３に示すように、ハードウェア部２０１およびソフトウェア部２０２を有する。
ハードウェア部２０１は、ハードウェア的な構成要素であり、例えばデバイス２０１１、ハード電源制御部２０１２（電源制御部２７）を有する。
デバイス２０１１は、例えば入力部２２、出力部２３、ＩＦ２４、メモリ２５、電源回路２６、およびＣＰＵ２８等の構成要素である。
ハード電源制御部２０１２は、例えばＣＰＵ２８の制御により、装置の電源のオン状態およびオフ状態、具体的には各デバイス２０１１の電源のオン状態およびオフ状態を制御する。
【００２５】
ソフトウェア部２０２は、例えばＣＰＵ２８がプログラムＰＲＧを実行することで、カーネル２０２１、アプリケーション２０２２、デバイスドライバ２０２３、およびソフト電源制御部２０２４等を実現する。
【００２６】
カーネル２０２１は、例えばデバイスドライバ２０２３を介したデバイス２０１１と入出力されるデータを基に、所定の機能を含むアプリケーション２０２２を実行する。
また、カーネル２０２１は、ソフト電源制御部２０２４を制御して、ハード電源制御部２０１２に電源制御を行わせる。
デバイスドライバ２０２３は、各デバイス２０１１に対応して設けられ、各デバイスを制御する際にＣＰＵ２８により実行される。
ソフト電源制御部２０２４は、ＣＰＵ２８の制御によりハード電源制御部２０１２に電源制御を行わせる。
【００２７】
例えば、ＣＰＵ２８において、カーネル２０２１は、ＩＦ２４に起動時間情報ＤＳＴおよび設定されたコンテンツデータをサーバ装置３に送信させる設定情報ＤＳＣを送信させて、ソフト電源制御部２０２４および電源制御部２０１２に電源をオフ状態に制御させ、ＩＦ２４でサーバ装置３からの起動信号およびコンテンツデータＤＣを受信すると、ソフト電源制御部２０２４および電源制御部２０１２に電源をオン状態に制御させコンテンツデータＤＣを出力部２３に再生させる。
【００２８】
電源制御部２７は、例えば具体的には電源の制御として、通常動作モードｇ０、省電力モードｇ１、および電源オフモードｇ２の各モードに応じた制御を行う。
通常動作モードｇ０では、電源制御部２７は、デバイスそれぞれに通常の電力量を供給する。
省電力モードｇ１では、電源制御部２７は、デバイスそれぞれに応じた省電力化、例えば出力部２３の表示部の表示を行わないことや、ＣＰＵ２７に供給する不図示のクロック信号の周波数を低くする等の省電力化を行い、装置の消費電力を少なくする。
電源オフモードｇ２では、電源制御部２７は、デバイスそれぞれに供給する電力をオフ状態に設定する。また、電源オフモードｇ２では電源制御部２７は、デバイスそれぞれで必要最小限の電源が供給されるように設定してもよい。
【００２９】
サーバ装置３は、例えば図２に示すように、記憶装置３０、計時部３１、入力部３２、出力部３３、インタフェース（ＩＦ）３４、メモリ３５、電源回路３６、電源制御部３７、ＣＰＵ３８、および送受信部３９を有する。
記憶装置３０、計時部３１、入力部３２、出力部３３、インタフェース（ＩＦ）３４、メモリ３５、電源回路３６、電源制御部３７、ＣＰＵ３８、および送受信部３９は、バスＢＳにより接続されている。
【００３０】
サーバ装置３の計時部３１、入力部３２、出力部３３、ＩＦ３４、メモリ３５、電源回路３６、電源制御部２７、およびＣＰＵ３８それぞれは、端末装置２の各構成要素である、計時部２１、入力部２２、出力部２３、ＩＦ２４、メモリ２５、電源回路２６、電源制御部２７、およびＣＰＵ２８それぞれと略同じ機能であるので相違点のみ説明する。
【００３１】
記憶装置３０は、設定データＤＳ、コンテンツデータＤＣ、およびコンテンツ一覧データＤＣＬ等を記憶する。例えば記憶装置３０はハードディスク装置等の磁気記録装置や、ＤＶＤ（Digital Versatile Disc）−ＲＡＭ等の光磁気ディスク記録装置である。
送受信部３９は、例えばＣＰＵ３８の制御により、アナログ方式やデジタル方式のテレビジョン放送を受信する受信回路や所定のデータを送信する送信回路を含み、必要に応じてテレビジョン放送に係るコンテンツデータをＣＰＵ３８に出力する。
【００３２】
ＣＰＵ３８は、例えばメモリ３５をワークエリアとして、プログラムＰＲＧを実行することにより、本実施形態に係る機能を実現する。例えばＣＰＵ３８は、図３に示した端末装置２の電源制御に係る処理と同様な電源制御を行う。
具体的には、ＣＰＵ３８は、ＩＦ３４で電源制御信号を受信すると電源制御部３７に電源をオフ状態に制御させ、ＩＦ３４で端末装置２からの起動信号を受信すると電源制御部３７に電源をオン状態に制御させてＩＦ３４に設定情報ＤＣを基にコンテンツデータＤＣを送信させる。
【００３３】
図４は図１に示した情報処理システムの動作を説明するためのフローチャートである。図５〜７は図１に示した端末装置およびサーバ装置の動作を説明するための図である。図４〜図７を参照しながら情報処理システムの動作を、ＣＰＵの動作を中心に説明する。
【００３４】
ステップＳＴ１１において、端末装置（クライアント装置）２のＣＰＵ２８は、例えばユーザによる入力部２２としてのリモートコントローラ２＿１の操作に応じてＩＦ２４に、コンテンツ検索要求をサーバ装置３に送信させる。
この際、ＣＰＵ２８は、例えば図１に示すように複数のサーバ装置３が通信ネットワーク４上に設けられている場合には、出力部２３の表示装置に、例えば図５に示すようなサーバ装置３の一覧を示す画像ｖ１を表示させる。
【００３５】
画像ｖ１には、例えば通信ネットワーク４上でアクセス可能なサーバ装置３を示す複数のアイコン群ｖ１１と、選択されたサーバ装置３に関する情報を表示するサーバ情報表示部ｖ１２が設けられている。
ＣＰＵ２８は、例えばユーザの操作に応じて入力部２２から入力された信号に応じてアイコン群ｖ１１のうちの所定のアイコンが選択されると、ＩＦ２４に、その選択されたアイコンに対応するサーバ装置３にコンテンツ検索要求を示す信号Ｓ１を送信させる。
【００３６】
ステップＳＴ２１において、サーバ装置３のＣＰＵ２８は、ＩＦ３４で信号Ｓ１を受信すると、ＩＦ３４に要求元の端末装置２にコンテンツ一覧データＤＣＬを送信させる（ＳＴ２２）。
【００３７】
ステップＳＴ１２において、端末装置２のＣＰＵ２８は、ＩＦ２４でコンテンツ一覧データＤＣＬを受信すると（ＳＴ１２）、出力部２３にコンテンツ一覧データＤＣＬに応じた表示を行わせ、ユーザの操作に応じて入力部２２から入力された信号に基づいて、所望のコンテンツデータを選択し、またコンテンツデータＤＣを再生させる時間（サーバ装置３を起動させる時間）を設定する。
【００３８】
ＣＰＵ２８は、例えば図６に示すような画像ｖ２を出力部２３の表示装置に表示させる。画像ｖ２には、例えば日付データｖ２１、開始時間データｖ２２、終了時間データｖ２３、コンテンツデータのタイトル名ｖ２４、確定ボタンｖ２５、および中止ボタンｖ２６等が表示される。
ＣＰＵ２８は、例えばユーザの操作に応じて入力部２２から入力された信号を基に確定ボタンｖ２５が操作されると、日付情報ｖ２１、開始時間ｖ２２、終了時間ｖ２３、コンテンツデータのタイトル名ｖ２４を設定し、起動時間設定データＤＳＴ、およびコンテンツ設定データＤＳＣを含む設定データＤＳを生成する（ＳＴ１３）。
ステップＳＴ１４において、ＣＰＵ２８は、ＩＦ２４に設定データＤＳを通信ネットワーク４を介して所定のサーバ装置３に送信した後、電源制御部２７に電源をオフ状態（ｇ２）に設定させる（ＳＴ１５）。この際、省電力モードｇ１に設定してもよい。
【００３９】
ステップＳＴ２３において、サーバ装置３のＣＰＵ３８では、ＩＦ３４で、設定データＤＳを受信すると（ＳＴ２３）、記憶装置３０に記憶する設定データＤＳを記憶させ（ＳＴ２４）、電源制御部３７に電源をオフ状態（ｇ２）に設定させる（ＳＴ２５）。この際、省電力モードｇ１に設定してもよい。
【００４０】
サーバ装置３は記憶装置３０に、設定データＤＳとして例えば図７に示すように、起動時間設定データＤＳＴとしての日付データＤＳＴ１１と開始時刻データＤＳＴ１２、コンテンツ設定データＤＳＣとを関連付けて記憶する。
【００４１】
ステップＳＴ２６において、ＣＰＵ３８は、設定データＤＳのうちの起動時間設定データＤＳＴを基に、計時部３１が計時した時刻情報が起動時間になった場合には（ＳＴ２６）、電源制御部３７に電源をオン状態（通常動作モードｇ０）に制御させた後、ＩＦ３４に起動信号Ｓ２を端末装置２に送信させる（ＳＴ２７）。
【００４２】
ステップＳＴ１６において、ＣＰＵ２８は、ＩＦ２４で起動信号Ｓ２を受信した場合には、電源制御部２７に電源をオン状態（通常動作モードｇ０）に制御させた後、ＩＦ２４にコンテンツ送信要求を示す信号Ｓ３をサーバ装置３に送信させる（ＳＴ１７）。
【００４３】
ステップＳＴ２８において、ＣＰＵ３８は、ＩＦ３４で信号Ｓ３を受信した場合には、ＩＦ３４に、記憶装置３０が記憶する設定データＤＳのうちのコンテンツ設定データＤＳＣに応じたコンテンツデータＤＣを、要求元の端末装置２に送信させる（ＳＴ２９）。
【００４４】
ステップＳＴ１８において、ＣＰＵ２８は、ＩＦ２４でコンテンツデータＤＣが受信された場合には、出力部２３にコンテンツデータＤＣに応じた出力を行わせる。例えば出力部２３の表示部にコンテンツデータＤＣに応じた表示を行わせ、発音部にコンテンツデータに応じた発音を行わせる。
【００４５】
上記の説明では、ステップＳＴ１７およびＳＴ２８において、端末装置２からサーバ装置３にコンテンツ送信要求を示す信号Ｓ３を送信したがこの形態に限られるものではない。例えば、サーバ装置３がコンテンツ送信要求を示す信号Ｓ３を受信することなく、起動時間になると端末装置の復帰時間を考慮した所定の時間経過後に、コンテンツデータを出力してもよい。
【００４６】
以上説明したように、本実施形態では、端末装置２には、サーバ装置３と通信を行うＩＦ２４と、端末装置２の電源のオン状態およびオフ状態を制御する電源制御部２７と、ＩＦ２４に起動時間データＤＣＴおよび設定されたコンテンツデータをサーバ装置３に送信させる設定情報ＤＳＴを送信させて電源制御部２７に電源をオフ状態に制御させ、ＩＦ２４でサーバ装置３からの起動信号Ｓ２およびコンテンツデータＤＣを受信すると電源制御部２７に電源をオン状態に制御させ、コンテンツデータＤＣを再生させるＣＰＵ２８とを設け、
サーバ装置３には、端末装置２と通信を行うＩＦ２４と、当該サーバ装置３の電源のオン状態およびオフ状態を制御する電源制御部３７と、ＩＦ３４で受信した起動時間設定データＤＳＴ情報を基に起動時間を設定して電源制御部３７に電源をオフ状態に制御させ、計時部３１が計時する時刻情報が、設定した起動時間になると電源制御部３７に電源をオン状態に制御させてＩＦ３４に起動信号Ｓ２および設定情報（設定データ）ＤＳに応じたコンテンツデータＤＣを端末装置２に送信させるＣＰＵ３８とを設けたので、電源制御を行う端末装置２およびサーバ装置３において、一般的な情報処理装置、情報処理システムよりも省電力化することができる。
【００４７】
図８は、本発明の第２実施形態に係る情報処理システムの動作を説明するためのフローチャートである。
第２実施形態に係る情報処理システム１のハードウェア的な構成は、図１，２に示した第１実施形態に係る端末装置２およびサーバ装置３と略同じ構成であるので同一の機能については説明を省略する。第１実施形態と第２実施形態との動作の相違点のみ、図８を参照しながら説明する。
【００４８】
ステップＳＴ１１１〜ＳＴ１１３、およびステップＳＴ１２１〜ＳＴ１２２それぞれは、第１実施形態に係るステップＳＴ１１〜ＳＴ１３、およびステップＳＴ２１〜ＳＴ２２それぞれと同じ動作なので説明を省略する。
【００４９】
ステップＳＴ１１４において、ＣＰＵ２８は、ステップＳＴ１１３で生成した設定データＤＳをメモリ２５や、不図示のハードディスク装置等の磁気記録装置や、ＤＶＤ（Digital Versatile Disc）−ＲＡＭ等の光磁気ディスク記録装置である記憶装置に記憶させる。
具体的には、端末装置２は、例えば記憶装置に、設定データＤＳとして例えば図７に示すように、起動時間設定データＤＳＴとしての日付データＤＳＴ１１と開始時刻データＤＳＴ１２、コンテンツ設定データＤＳＣとを関連付けて記憶する。
【００５０】
ステップＳＴ１１５において、ＣＰＵ２８は、ＩＦ２４に、電源制御信号としてスリープ要求を示す信号Ｓ４を通信ネットワーク４を介して所定のサーバ装置３に送信させた後、電源制御部２７に電源をオフ状態（ｇ２）に設定させる（ＳＴ１１６）。この際、省電力モードｇ１に設定してもよい。
【００５１】
ステップＳＴ１２３において、サーバ装置３のＣＰＵ３８では、ＩＦ３４で、信号Ｓ４を受信すると、電源制御部３７に電源をオフ状態（ｇ２）に設定させる（ＳＴ１２４）。この際、省電力モードｇ１に設定してもよい。
【００５２】
ステップＳＴ１１７において、ＣＰＵ２８は、設定データＤＳのうちの起動時間設定データＤＳＴを基に、計時部２１が計時する時刻情報が起動時間になった場合には、電源制御部２７に電源をオン状態（通常動作モードｇ０）に制御させた後、ＩＦ２４に起動信号Ｓ５を所定のサーバ装置３に送信させる（ＳＴ１１８）。
【００５３】
ステップＳＴ１２５において、ＣＰＵ３８は、ＩＦ３４で起動信号Ｓ５を受信した場合には、電源制御部３７に電源をオン状態（通常動作モードｇ０）に制御させる。
【００５４】
ステップＳＴ１１９において、ＣＰＵ２８は、ＩＦ２４にコンテンツ送信要求、および設定データＤＳを示す信号Ｓ６をサーバ装置３に送信させる。
ステップＳＴ１２６において、ＣＰＵ３８は、ＩＦ３４で信号Ｓ６を受信した場合には、ＩＦ３４に、設定データＤＳのうちのコンテンツ設定データＤＳＣに応じたコンテンツデータＤＣを、要求元の端末装置２に送信させる（ＳＴ１２７）。
ステップＳＴ１２０において、ＣＰＵ２８は、ＩＦ２４でコンテンツデータＤＣが受信された場合には、出力部２３にコンテンツデータＤＣに応じた出力を行わせる。例えば出力部２３の表示部にコンテンツデータＤＣに応じた表示を行わせ、発音部にコンテンツデータに応じた発音を行わせる。
【００５５】
以上説明したように、本実施形態では、端末装置２には、サーバ装置３と通信を行うＩＦ２４と、端末装置２の電源のオン状態およびオフ状態を制御する電源制御部２７と、設定されたコンテンツデータを送信させる設定情報（設定データ）ＤＳＣ、および入力された起動時間情報（起動時間設定データＤＳＴ）を基に起動時間をメモリ２５や記憶装置に記憶することで設定してＩＦ２４に電源制御信号Ｓ４を送信させて電源制御部２７に電源をオフ状態に制御させ、計時部２１が計時する時刻情報が、設定した起動時間になると電源制御部２７に電源をオン状態に制御させてＩＦ２４に起動信号および設定情報（設定データ）ＤＳを示す信号Ｓ５送信させ、ＩＦ２４でコンテンツデータＤＣを受信すると当該コンテンツデータＤＣを再生させるＣＰＵ２８とを設け、
サーバ装置３には、端末装置２と通信を行うＩＦ３４と、当該サーバ装置３の電源のオン状態およびオフ状態を制御する電源制御部３７と、ＩＦ３４で電源制御信号Ｓ４を受信すると電源制御部３７に電源をオフ状態に制御させ、ＩＦ３４で起動信号Ｓ５を受信すると電源制御部３７に電源をオン状態に制御させて、ＩＦ３４に設定情報（設定データ）ＤＳに応じたコンテンツデータＤＣを端末装置２に送信させるＣＰＵ３８とを設けたので、電源制御を行う端末装置２およびサーバ装置３において、一般的な情報処理装置、情報処理システムよりも省電力化することができる。
【００５６】
本実施形態では、端末装置２で設定情報を記憶するので、第１実施形態と比べてサーバ装置３の負荷を低減することができる。
【００５７】
なお、本発明は本実施形態に限られるものではなく、任意好適な改変が可能である。
例えば、本実施形態では設定データＤＳとして起動時間設定データＤＳとコンテンツ設定データＤＳＣを設定して、コンテンツデータＤＣを送受信させる形態であったが、この形態に限られるものではない。例えば設定データＤＳとして所定の起動時間に、所定の動作を行わせる内容を含むように設定してもよい。こうすることで両方の装置の電源をオフ状態に設定しても、起動時間になると通信ネットワーク４を介して所定の動作を行わせることができる。
【００５８】
また、例えば、サーバ装置３をテレビジョン放送を受信して記憶するビデオサーバ装置として、所定の時間に起動させて録画させるようにしてもよい。具体的には、例えば設定データとして起動時間設定データＤＳを、その時間になると所望のテレビジョン放送を送受信部３９に受信させて録画させる内容を含むように設定してもよい。こうすることで、両方の装置の電源を所望の時間に起動させて、録画および表示を行うことができる。
【図面の簡単な説明】
【００５９】
【図１】本発明に係る情報処理システムの第１実施形態を示す全体構成図である。
【図２】図１に示した情報処理システムのハードウェア的な機能ブロック図である。
【図３】本発明に係る情報処理装置の電源制御に係る処理を説明するための図である。
【図４】図１に示した情報処理システムの動作を説明するためのフローチャートである。
【図５】図１に示した端末装置およびサーバ装置の動作を説明するための図である。
【図６】図１に示した端末装置およびサーバ装置の動作を説明するための図である。
【図７】図１に示した端末装置およびサーバ装置の動作を説明するための図である。
【図８】本発明の第２実施形態に係る情報処理システムの動作を説明するためのフローチャートである。
【符号の説明】
【００６０】
１…情報処理システム、２…端末装置（情報処理装置）、３…サーバ装置（情報処理装置）、４…通信ネットワーク、２１…計時部、２２…入力部、２３…出力部、２４…インタフェース（ＩＦ）、２５…メモリ、２６…電源回路、２７…電源制御部、２８…ＣＰＵ、３０…記憶装置、３１…計時部、３２…入力部、３３…出力部、３４…インタフェース（ＩＦ）、３５…メモリ、３６…電源回路、３７…電源制御部、３８…ＣＰＵ、３９…送受信部、２０１…ハードウェア部、２０２…ソフトウェア部、２０１１…デバイス、２０１２…ハード電源制御部（電源制御部２７）、２０２１…カーネル、２０２２…アプリケーション、２０２３…デバイスドライバ、２０２４…ソフト電源制御部。
【図１】
2005157799.tif 000003
【図２】
2005157799.tif 000004
【図３】
2005157799.tif 000005
【図４】
2005157799.tif 000006
【図５】
2005157799.tif 000007
【図６】
2005157799.tif 000008
【図７】
2005157799.tif 000009
【図８】
2005157799.tif 000010